(57)【特許請求の範囲】
【請求項１】
空気取入口６を有する下面板３と、吸込口８を有する上面板４と、周面板５で箱状としたフード１、
前記吸込口８に取付けたフィルター９、
前記吸込口８からフード１内の空気を吸い込んで排出する送風機２、
前記フード１内に配設されてフィルター９とフード１の内面に洗浄液を噴きつける洗浄液噴出部４０、
この洗浄液噴出部４０に洗浄液タンク１１内の洗浄液を圧送する洗浄液用ポンプ３０、
前記フード１内に配設され前記空気取入口６から洗浄液が洩れることを防止する洗浄液カバー２０を備え、
前記下面板３は、その空気取入口６の開口縁に沿ってリング状の立上り部７を有し、
前記洗浄液カバー２０は、周縁に沿って下向片２２を有し前記立上り部７を覆う下向き皿形状で、
その洗浄液カバー２０は、前記立上り部７と下向片２２との間に空気の流通が得られるよう所定の隙間を保持して設けられていることを特徴とするレンジフード。
【請求項２】
前記下面板３を水平に対して斜めとし、その低くなった部分に洗浄液回収用の穴１０を形成し、
前記洗浄液タンク１１を、前記穴１０と連通して設けてフィルター９、フード１内面に噴きつけられた洗浄液が洗浄液タンク１１に流入するようにした請求項１記載のレンジフード。
【請求項３】
フード１内に回転自在に設けたノズル本体４１に、フィルター９に向かうフィルター用ノズル４２、フード１の内面に向かうフード用ノズル４３、ノズル本体回転方向に向う回転用ノズル４４を設けて洗浄液噴出部４０とした請求項１又は２記載のレンジフード。
【請求項４】
前記洗浄液カバー２０を、立上り部７に接して空気取入口６を閉じる第１の位置と、立上り部７と離れて空気取入口６を開く第２の位置とに亘って上下移動自在とし、この洗浄液カバー２０を上下移動する昇降機構２３を設けた請求項１又は２又は３記載のレンジフード。
【請求項５】
前記洗浄液カバー２０が第１の位置の時に、その洗浄液カバー２０と立上り部７が弾性体２８を介して接するようにした請求項４記載のレンジフード。
【発明の詳細な説明】
【０００１】
【発明の属する技術分野】
本発明は、調理時に発生する煙り、湯気、臭気等を吸込んで外部に排出するレンジフードにおけるフード内面とフィルターを清掃する装置に関する。
【０００２】
【従来の技術】
レンジフードはレンジの上方に設置され、調理時に発生する煙り、湯気、臭気等（以下油煙という）を吸込んで外部に排出するものである。
【０００３】
このレンジフードの一例としては、油煙を捕獲するフードに送風機とフィルターを取付け、送風機を駆動することで油煙を吸込み、吸込んだ油煙の油分などをフィルターで捕集して油分などの少ない空気とし、その空気を排出ダクトなどを通して外部に排出するものが知られている。
【０００４】
前述のレンジフードであると、フィルターに油分などが付着するので、フィルターを定期的にフードから外して清掃する必要がある。
しかし、フードはレンジの上方位置に取付けてあるので、そのフードからフィルターを外すのが面倒であるし、フィルターの汚れに気がつかずに清掃を忘れがちであり、また気づいた時には長期間を経過している場合がほとんどであり、フィルターに汚れが固着、変質しており、フィルターを清掃することが大変面倒である。
【０００５】
前述のことを解消するレンジフードとして、例えば特許第２６０４９３７号公報に示すフィルターを清掃するようにしたものが知られている。このレンジフードは、フィルターの上部と下部に受液槽を取付け、下部の受液槽内の洗浄液をポンプで上部の受液槽に送り、洗浄液をフィルターに沿って流すことでフィルターに付着した油分等を洗い流すものである。
【０００６】
【発明が解決しようとする課題】
前述のレンジフードであればフィルターを洗浄液によって洗浄できるが、現実には油分等で汚れるのはフィルターのみではなく、フードにおける空気取入口からフィルターに到達するまでの内面も油分等で汚れる。
【０００７】
このために、前述のレンジフードにおいては使用者がフィルターを清掃する必要がないが、フード内面を従来と同様に使用者が定期的に清掃する必要がある。
【０００８】
そこで、本発明は前述の課題を解決できるようにしたレンジフードを提供することを目的とする。
【０００９】
【課題を解決するための手段】
第１の発明は、空気取入口６を有する下面板３と、吸込口８を有する上面板４と、周面板５で箱状としたフード１、
前記吸込口８に取付けたフィルター９、
前記吸込口８からフード１内の空気を吸い込んで排出する送風機２、
前記フード１内に配設されてフィルター９とフード１の内面に洗浄液を噴きつける洗浄液噴出部４０、
この洗浄液噴出部４０に洗浄液タンク１１内の洗浄液を圧送する洗浄液用ポンプ３０、
前記フード１内に配設され前記空気取入口６から洗浄液が洩れることを防止する洗浄液カバー２０を備え、
前記下面板３は、その空気取入口６の開口縁に沿ってリング状の立上り部７を有し、
前記洗浄液カバー２０は、周縁に沿って下向片２２を有し前記立上り部７を覆う下向き皿形状で、
その洗浄液カバー２０は、前記立上り部７と下向片２２との間に空気の流通が得られるよう所定の隙間を保持して設けられていることを特徴とするレンジフードである。
【００１０】
第２の発明は、第１の発明において、前記下面板３を水平に対して斜めとし、その低くなった部分に洗浄液回収用の穴１０を形成し、
前記洗浄液タンク１１を、前記穴１０と連通して設けてフィルター９、フード１内面に噴きつけられた洗浄液が洗浄液タンク１１に流入するようにしたレンジフードである。
【００１１】
第３の発明は、第１又は第２に発明において、フード１内に回転自在に設けたノズル本体４１に、フィルター９に向うフィルター用ノズル４２、フード１の内面に向うフード用ノズル４３、ノズル本体回転方向に向う回転用ノズル４４を設けて洗浄液噴出部４０としたレンジフードである。
【００１２】
第４の発明は、第１又は第２又は第３の発明において、前記洗浄液カバー２０を、立上り部７に接して空気取入口６を閉じる第１の位置と、立上り部７と離れて空気取入口６を開く第２の位置とに亘って上下移動自在とし、この洗浄液カバー２０を上下移動する昇降機構２３を設けた記載のレンジフードである。
【００１３】
第５の発明は、第４の発明において、前記洗浄液カバー２０が第１の位置の時に、その洗浄液カバー２０と立上り部７が弾性体２８を介して接するようにレンジフードである。
【００１４】
【作    用】
第１の発明によれば、フィルター９、フード１の内面に洗浄液を噴きつけて油分等を洗い流すことができるから、フィルター９、フード１の内面を清掃でき、使用者がフィルター９、フード１の内面を手作業等で清掃することが不要となる。
【００１６】
また、そのフィルター９、フード１の内面に噴きつけられた洗浄液は洗浄液カバー２０に落下し、その下向片２２に沿って下面板３に流れ落ちるので、その洗浄液が下面板３の空気取入口６から流れ落ちないし、下面板３の空気取入口６の周縁に沿ってリング状に設けた立上り部７によって下面板３に沿って流れる洗浄液が空気取入口６から流れ落ちることを防止できる。
これによって、洗浄液が空気取入口６から洩れることを確実に防止でき、調理器具等を洗浄液で汚すことがない。
また、立上り部７と洗浄液カバー２０の下向片２２との間の隙間を経て油煙等がフード１内に流れ込むので、その隙間を通る際に通気流速が速くなり、油煙等のフード１内への捕集効率が向上する。
【００１９】
第２の発明によれば、フィルター９、フード１の内面を洗浄した洗浄液は、下面板３の内面に沿って流れ、穴１０から洗浄液タンク１１内に流れ落ちて回収されるので、洗浄液タンク１１内の洗浄液を循環して再利用できる。
【００２０】
第３の発明によれば、ノズル本体４１のフィルター用ノズル４２からフィルター９に洗浄液を噴きつけできるし、フード用ノズル４３からフード１の内面に洗浄液を噴きつけでき、しかも回転用ノズル４４から噴出する洗浄液のいきおいでノズル本体４１が回転する。
【００２１】
これによって、コンパクトなノズル本体４１でフィルター９、フード１の内面に洗浄液を十分に噴きつけできるし、ノズル本体４１を回転する動力源が不要であるから、洗浄液噴出部４０をコンパクトで安価にできるし、フィルター９、フード１の内面を十分に清掃できる。
【００２２】
第４の発明によれば、洗浄液カバー２０を上下動することで空気取入口６を開いたり、閉じたりできるから、送風機２を運転して油煙等を排出することができるし、送風機２を停止してフィルター９、フード１の内面を清掃する時にフィル９、フード１に噴きつけられてフード１内で飛散した洗浄液が空気取入口６から洩れることを防止できる。
【００２３】
第５の発明によれば、洗浄液カバー２０と立上り部７との接触部が弾性体２８で気密、水密されるので、フード１内部が遮音される。これによって、フィルター９、フード１内面を洗浄する際にフード１内で発生した洗浄液の噴出音、洗浄液の流れる音等の洗浄音が外部に洩れることがなく、レンジフード近くの人に不快を及ぼすことがない。
【００２４】
【発明の実施の形態】
図１に示すように、フード１と送風機２でレンジフードを形成している。フード１は下面板３と上面板４と周面板５で箱状体であり、下面板３には空気取入口６が形成され、その空気取入口６の開口縁に沿ってリング状の立上り部７がフード１内に向けて一体的に設けてある。具体的には下面板３を打ち抜き加工すると共に、その周縁をフード１内に向けて折り曲げ加工してある。前記上面板４には吸込口８が形成してあり、この吸込口８にフィルター９が取付けてある。
【００２５】
前記下面板３は水平に対して左右一端部が低くなるように斜めとなり、その下面板３の低くなって左右一端部に穴１０が形成してあり、その穴１０と連続して洗浄液タンク１１が取付けてある。
【００２６】
前記送風機２はケーシング１２内にファン１３を設け、このファン１３を電動モータ１４で回転駆動するようにしてある。ケーシング１２の入口１５が筒体１６を介してフード１の吸込口８に連通し、出口１７がダクト１８に連通している。
【００２７】
前記送風機２は天井パネル１９の上面に取付けられ、フード１は筒体１６を介して天井パネル１９に吊り下げられている。
【００２８】
前記フード１内には洗浄液カバー２０が配設され、この洗浄液カバー２０は平板２１の周縁に沿って下向片２２を一体的に設けた下向き皿形状で、前記立上り部７を覆っている。
【００２９】
前記洗浄液カバー２０は昇降機構２３で上下動される。前記昇降機構２３はモータ２４で回転されるピニオン２５と、このピニオン２５に噛合して上下動自在に支承されたラック２６と、このラック２６に連結された縦杆２７を備え、その縦杆２７を前記洗浄液カバー２０に連結してある。
【００３０】
モータ２４でピニオン２５を正転、逆転することで洗浄液カバー２０が上下動し、図３に示すように空気取入口６を開放したり、図４に示すように閉じる。しかも洗浄液カバー２０と立上り部７との間の隙間を調整できる。前記立上り部７の内面に沿ってゴムなどの弾性体２８が連続して取付けてあり、図４に示すようにこの弾性体２８に洗浄液カバー２０の下向片２２が圧着してフード１の内部と外部を気密、水密して空気、洗浄水が洩れないようにしてある。
【００３１】
前記フード１には、洗浄液用ポンプ３０が取付けてある。この洗浄液用ポンプ３０はモータ３１と、このモータ３１で回転されるインペラを備えた吸込部３２と、この吸込部３２の吐出側に接続した送水パイプ３３を備え、その吸込部３２が洗浄液タンク１１内に浸漬してある。
【００３２】
前記フード１内には洗浄液噴出部４０がフィルター９、フード１の内面に対向して配設してある。この洗浄液噴出部４０は図２と図５に示すようにノズル本体４１を備え、このノズル本体４１を送水パイプ３３の先端部にほぼ水平面に沿って回転自在に取付けてある。
【００３３】
前記ノズル本体４１は長手方向中央部にフィルター用ノズル４２が設けられ、長手方向両端寄り部にフード用ノズル４３が設けられ、長手方向両端部に回転用ノズル４４が設けてある。前記フィルター用ノズル４２は真上及び斜めの上に向ってフィルター９に向う形状で、前記フード用ノズル４３はほぼ水平に向ってフード１の内面に向う形状で、回転用ノズル４４は水平方向一側に向う形状である。
【００３４】
前記各ノズルはノズル本体４１内の流路（図示せず）を経て送水パイプ３３に連通し、その各ノズルから洗浄液が噴出される。
【００３５】
回転用ノズル４４から噴出される洗浄液のいきおいでノズル本体４１が図６に示すように回転し、フード用ノズル４３から噴出された洗浄液がフード１の内面に順次噴射されると共に、フィルター用ノズル４２からフィルター９に洗浄液が噴出される。
【００３６】
前記フード用ノズル４３はほぼ水平方向で回転方向後に洗浄液を噴出するので、その噴出した洗浄液の反力でノズル本体４１に回転力が作用し、ノズル本体２１には噴出する洗浄液を利用してスムーズに回転する。
【００３７】
次に動作を説明する。
送風機２を駆動してレンジフードを運転する時には昇降機構２３で洗浄液カバー２０を上方に移動して図３に示すように空気取入口６を開放すると共に、立上り部７と下向片２２との間に隙間を形成する。
【００３８】
これにより、油煙が図３に矢印で示すように前記隙間を通ってフード１内に吹い込みされ、吸込口８、フィルター９を経て送風機２に吸い込みされてダクト１８より排出される。
【００３９】
この時、油煙は立上り部７と下向片２２との隙間つまり小さな開口面積部分を通る際に通気流速が上昇するから、油煙の捕獲効率が促進する。
【００４０】
また、前記隙間を通った油煙は洗浄液カバー２０の周縁部からフィルター９に向けて流れるし、ノズル本体４１は洗浄液カバー２０のほぼ真上に位置しているから、前述の油煙はノズル本体４１に衝突することが殆どなく、大部分はフィルター９に向けて直接的に流れる。
【００４１】
これによって、ノズル本体４１が油煙流れの邪魔にならないから送風機２で油煙を効率良く排出できる。
【００４２】
洗浄する時には昇降機構２３で洗浄液カバー２０を下方に移動して図４に示すよう空気取入口６を閉じる。この状態で洗浄液用ポンプ３０で洗浄液タンク１１内の洗浄液をノズル本体４１に圧送し、各ノズルから噴出する。
【００４３】
これによって、ノズル本体４１が回転してフィルター９、フード１の内面に向けて洗浄液が噴出され、フィルター９、フード１の内面に付着した油分を洗浄液で除去して清掃する。
【００４４】
フィルター９に噴きつけられた洗浄液は洗浄液カバー２１に流れ落ち、フード１の内面に噴きつけられた洗浄液は洗浄液カバー２１及び下面板３の内面に流れ落ちる。洗浄液カバー２１に流れ落ちた洗浄液は下面板３の内面に流れ、下面板３の内面に流れ落ちた洗浄液は立上り部７で空気取入口６から落下することなしに穴１０から洗浄液インク１１に流入する。
【００４５】
また、弾性体２８でフード１内部と外部が気密、水密されるから、洗浄液が空気取入口６から洩れることを確実に防止できると共に、各ノズルから噴出される洗浄液の噴出音、洗浄液の流れる音等のフード１内に生じた洗浄音が遮断され、フード１外部に洩れることがないので、レンジフード近くの人に不快感を与えることがない。
【００４６】
なお、立上り部７に弾性体２８を設けずに図７に示すように立上り部７に洗浄液カバー２０の下向片２２を直接的に接しても良く、このようにしてもフード１内で飛散した洗浄液が空気取入口６から洩れることがない。また洗浄液カバー２０を図８に示すように立上り部７と隙間を置いた状態で固定しても良く、このようにしても洗浄液が空気取入口６から洩れることはない。
【００４７】
前述の動作において洗浄液カバー２０の上下移動及び洗浄液用ポンプ３０の駆動は送風機２の運転、停止と連動して行なう。例えば、送風機２の運転釦を操作して電動モータ１４に通電してファン１３を回転した時には、その運動釦の操作信号で昇降機構２３のモータ２４に設定時間通電して洗浄液カバー２０を所定ストロークだけ上方に移動する。
【００４８】
送風機２の停止釦を操作して電動モータ１４への通電を止めてファン１３を停止した時には、その停止釦の操作信号で昇降機構２３のモータ２４に設定時間通電して洗浄液カバー２０を所定ストローク下方に移動し、その後に洗浄液用ポンプ３０のモータ３１に設定時間通電して洗浄液を各ノズルから噴出する。
【００４９】
次に第２の実施の形態を説明する。
図９ないし図１１に示すように、洗浄液カバー２０を横板２１の周縁に立上り片２９を一体的に設けた皿形状とし、この洗浄液カバー２０をフード１の下面板３の外面（下面）に取付け、その立上り片２９と下面板３の外面との間に空気取入口６に連通した隙間を形成する。
【００５０】
前記横板２１は水平に対して左右一端部が低くなるように斜めとなり、その低い左右一端寄りに凹部が形成されて洗浄液タンク１１を形成している。洗浄液用ポンプ３０の吸込部３２は下面板３の穴１０から洗浄液タンク１１内に浸漬してある。
【００５１】
このレンジフードであっても前述と同様にしてフィルター９、フード１の内面に洗浄液を噴きつけて洗浄できるし、洗浄した洗浄液を洗浄液タンク１１に回収して再利用できる。
【００５２】
以上の各実施の形態では送風機を天井パネルに取付けたが、図１２に示すように送風機２をフード１の上面板４に取付けても良い。
【００５３】
【発明の効果】
請求項１に係る発明によれば、フィルター９、フード１の内面に洗浄液を噴きつけて油分等を洗い流すことができるから、フィルター９、フード１の内面を清掃でき、使用者がフィルター９、フード１の内面を手作業等で清掃することが不要となる。
【００５５】
また、そのフィルター９、フード１の内面に噴きつけられた洗浄液は洗浄液カバー２０に落下し、その下向片２２に沿って下面板３に流れ落ちるので、その洗浄液が下面板３の空気取入口６から流れ落ちないし、下面板３の空気取入口６の周縁に沿ってリング状に設けた立上り部７によって下面板３に沿って流れる洗浄液が空気取入口６から流れ落ちることを防止できる。
これによって、洗浄液が空気取入口６から洩れることを確実に防止でき、調理器具等を洗浄液で汚すことがない。
また、立上り部７と洗浄液カバー２０の下向片２２との間の隙間を経て油煙等がフード１内に流れ込むので、その隙間を通る際に通気流速が速くなり、油煙等のフード１内への捕集効率が向上する。
【００５８】
請求項２に係る発明によれば、フィルター９、フード１の内面を洗浄した洗浄液は、下面板３の内面に沿って流れ、穴１０から洗浄液タンク１１内に流れ落ちて回収されるので、洗浄液タンク１１内の洗浄液を循環して再利用できる。
【００５９】
請求項３に係る発明によれば、ノズル本体４１のフィルター用ノズル４２からフィルター９に洗浄液を噴きつけできるし、フード用ノズル４３からフード１の内面に洗浄液を噴きつけでき、しかも回転用ノズル４４から噴出する洗浄液のいきおいでノズル本体４１が回転する。
【００６０】
これによって、コンパクコントなノズル本体４１でフィルター９、フード１の内面に洗浄液を十分に噴きつけできるし、ノズル本体４１を回転する動力源が不要であるから、洗浄液噴出部４０をコンパクトで安価にできるし、フィルター９、フード１の内面を十分に清掃できる。
【００６１】
請求項４に係る発明によれば、洗浄液カバー２０を上下動することで空気取入口６を開いたり、閉じたりできるから、送風機２を運転して油煙等を排出することができるし、送風機２を停止してフィルター９、フード１の内面を清掃する時にフィルター９、フード１内面に噴きつけられてフード１内で飛散した洗浄液が空気取入口６から洩れることを防止できる。
【００６２】
請求項５に係る発明によれば、洗浄液カバー２０と立上り部７との接触部が弾性体２８で気密、水密されるので、フード１内部が遮音される。これによって、フィルター９、フード１内面を洗浄する際にフード１内で発生した洗浄液の噴出音、洗浄液の流れる音等の洗浄音が外部に洩れることがなく、レンジフード近くの人に不快を及ぼすことがない。
【図面の簡単な説明】
【図１】本発明の第１の実施の形態を示すレンジフードの全体断面図である。
【図２】フード部分の拡大断面図である。
【図３】フード内部に油煙が入り込む状態の説明図である。
【図４】フードの空気取入口を閉じた状態の説明図である。
【図５】ノズル本体の斜視図である。
【図６】ノズル本体の回転動作説明図である。
【図７】洗浄液カバーの他の例を示す断面図である。
【図８】洗浄カバーを固定した例を示す断面図である。
【図９】本発明の第２の実施の形態を示すレンジフードの全体断面図である。
【図１０】フード部分の分解斜視図である。
【図１１】フード部分の斜視図である。
【図１２】送風機をフードに取付けた例を示すレンジフードの全体断面図である。
【符号の説明】
１…フード、２…送風機、３…下面板、４…上面板、５…周面板、６…空気取入口、７…立上り部、８…吸込口、９…フィルター、１０…穴、１１…洗浄液タンク、２０…洗浄液カバー、２１…横板、２２…下向片、２３…昇降機構、２８…弾性体、３０…洗浄液用ポンプ、４０…洗浄液用ポンプ、４１…ノズル本体、４２…フィルター用ノズル、４３…フード用ノズル、４４…回転用ノズル。
【図１】
0003906449.tif 000002
【図２】
0003906449.tif 000003
【図３】
0003906449.tif 000004
【図４】
0003906449.tif 000005
【図５】
0003906449.tif 000006
【図６】
0003906449.tif 000007
【図７】
0003906449.tif 000008
【図８】
0003906449.tif 000009
【図９】
0003906449.tif 000010
【図１０】
0003906449.tif 000011
【図１１】
0003906449.tif 000012
【図１２】
0003906449.tif 000013